(57)【要約】【課題】一方向電流素子ユニットを交換することなく長期にわたり首に着用することができる一方向電流素子ユニット付首用バンドを提供する。【解決手段】首に回して着用する環状のバンド１の裏面に複数の一方向電流素子ユニット２が間隔をおいて取り付けられており、一方向電流素子ユニット２が、内部に半導体が充填された一方向電流整流素子の両極端子からそれぞれ導出された２本の銅線が相互に反対方向に一方向電流整流素子の周囲に巻回され、かつこれら２本の銅線の端末が一方向電流整流素子に向かって内側に屈折されて電流捕捉プローブが形成されている一方向電流素子ユニット付首用バンド。【選択図】図１
0003132856.tif 000002
【実用新案登録請求の範囲】
【請求項１】
首に回して着用する環状のバンドの裏面に複数の一方向電流整流素子ユニットが間隔をおいて取り付けられており、前記一方向電流整流素子ユニットが、内部に半導体が充填された一方向電流整流素子の両極端子からそれぞれ導出された２本の銅線が相互に反対方向に一方向電流整流素子の周囲に巻回され、かつこれら２本の銅線の端末が一方向電流整流素子に向かって内側に屈折されて電流捕捉プローブが形成されていることを特徴とする一方向電流整流素子付ユニット首用バンド。
【請求項２】
前記環状のバンドが携帯電話を吊り下げるストラップであることを特徴とする請求項１記載の一方向電流整流素子付首用バンド。
【請求項３】
前記環状のバンドが社証を吊り下げるストラップであることを特徴とする請求項１記載の首用バンド。
【考案の詳細な説明】
【技術分野】
【０００１】
本考案は、首の凝りや痛みを解消するために首に着用する一方向電流素子ユニット付首用バンドに関する。
【背景技術】
【０００２】
身体各部の凝りや痛みの緩和、運動機能の改善回復が期待できる健康具として、一方向電流整流素子が提案されている（特許文献１、２参照）。
【０００３】
図５は従来の一方向電流整流素子を利用した健康具の一例を示す図である。
【０００４】
図５において、健康具は、一方向電流整流素子３と、この一方向電流整流素子３の周囲を円形に囲んだ電流捕捉プローブ４から形成される。中央に小さな細長い円筒形で内部に半導体を充填された一方向電流整流素子３を設け、その両極端子からそれぞれ銅線５が導出され、それら２本の銅線５が相互に反対方向に３／４ターンぐらい一方向電流整流素子３の周囲に巻回され、かつこれら２本の銅線５の端末６は一方向電流整流素子３に向かって内側に屈折されて、電流捕捉プローブ４が形成される。
【０００５】
一方向電流整流素子３は、シリコン（Ｓｉ）またはゲルマニューム（Ｇｅ）等の半導体を点接合またはＰＮ接合することにより、一端子（＋）から他端子（−）への電流を流す電流整流作用を備え、円筒形のガラスパッケージで気密封印された素子である。この通気孔７が設けられている。この健康具は、首、肩、背中、腰等の適当な場所に一方向電流整流素子を皮膚に当てて貼り付けことにより凝りの症状に対しての効能効果に優れているという結果が得られている。
【特許文献１】特開平５−１５４２０５号公報
【特許文献１】特開平１０−１７４７２２号公報
【考案の開示】
【考案が解決しようとする課題】
【０００６】
前記特許文献１の健康具を首に使用する場合、複数の健康具をそれぞれ首の回りに貼らなくてはならないが、特に首の後に貼る場合に所定の箇所に貼りづらく面倒である。また、貼着するために、人によってはかぶれたり、髪の毛が接着されて剥がすときに痛かったりなどの問題があった。
【０００７】
さらに、皮膚へ接着するため汗などで剥がれたりして長時間にわたり使用できないために新たに健康具を貼り替えなければないという不便さがあるだけでなく、貼り替えのために多数の健康具を用意しておかなくてはならないので、健康具が無駄になるという欠点がある。
【０００８】
そこで、本考案は、一方向電流素子ユニットを交換することなく長期にわたり首に着用することができる一方向電流素子ユニット付首用バンドを提供するものである。
【課題を解決するための手段】
【０００９】
本考案の首用バンドは、首に回して着用する環状のバンドの裏面に複数の一方向電流素子ユニットが間隔をおいて取り付けられており、前記一方向電流素子ユニットが、内部に半導体が充填された一方向電流整流素子の両極端子からそれぞれ導出された２本の銅線が相互に反対方向に一方向電流整流素子の周囲に巻回され、かつこれら２本の銅線の端末が一方向電流整流素子に向かって内側に屈折されて電流捕捉プローブが形成されていることを特徴とする。バンドには、携帯電話や社証を吊り下げるストラップを利用することができる。
【考案の効果】
【００１０】
本考案の一方向電流素子ユニットを有する首用バンドは、貼着することなく首に着用するだけなので、一旦着用すると長期間着用することでき、また、貼着しないので、剥がれやかぶれの問題を解消することができる。
【００１１】
さらに、バンドに一方向電流素子ユニットが取り付けられているため取り替えの必要がないので、別途取り替え用の一方向電流素子ユニットを用意しておく必要がなく、そのため一方向電流素子ユニットが無駄になることもない。
【考案を実施するための最良の形態】
【００１２】
本発明の実施例について図面により説明する。
【実施例１】
【００１３】
図１は本考案の一方向電流素子ユニット付首用バンドの実施例１を示す斜視図である。
【００１４】
図１において、バンド１には、首に当たる裏面側に、一方向電流素子ユニット２が、間隔（０．５ｃｍ〜３ｃｍ）をおいて複数取り付けられる。一方向電流素子ユニット２のバンド１への取り付けは、接着剤、テープによる溶着、縫いつけなどを利用する。
【００１５】
一方向電流素子ユニット２は、前述した図５に示すような、前記特許文献１，２で従来から知られている一方向電流整流素子ユニットを利用する。一方向電流素子ユニット２は、一方向電流整流素子３の周囲を円形に囲んだ電流捕捉プローブ４からなる。一方向電流素子ユニット２は、中央の小さな細長い直径が９ｍｍ程度の円筒形で内部に半導体が充填された一方向電流整流素子３の両極端子からそれぞれ径が０．５ｍｍ程度の銅線５が導出される。２本の銅線５が相互に反対方向に３／４ターンに一方向電流整流素子３の周囲に巻回され、かつこれら２本の銅線５の端末は一方向電流整流素子３に向かって内側に屈折されて、電流捕捉プローブ４が形成される。電流捕捉プローブ４の表面には、金、銀、チタン又はプラチナがメッキされる。
【００１６】
周囲に巻回された銅線３の終端６は内側へ折れ曲がり、一方向電流整流素子３まで達し、あるいは一方向電流整流素子３の直近に達し、この銅線５が折れ曲がっていることにより、生体電流の捕捉面積が広くなっている。さらに、一方向電流整流素子３が中心にあって、その回りの銅線５を電流が流れて、磁界を作っている作用が、整流効果を高め、この形状によって治療効果が高められる。
【００１７】
電流捕捉プローブ４の形状は、円形、四角形、六角形等の多角形に形成される。一方向電流整流素子１は、シリコン（Ｓｉ）またはゲルマニューム（Ｇｅ）等の半導体を点接合またはＰＮ接合することにより、一端子（＋）から他端子（−）への電流を流す電流整流作用を備え、円筒形のガラスパッケージで気密封印された素子である。
【００１８】
また、一方向電流整流素子１の皮膚との当接側は凸部分を形成すれば、この凸部分により、「鍼や灸」のような効果を生じ、細胞に刺激が与えられ、血行が向上する。
【００１９】
バンド１は、繊維で編んだ幅が、例えば、約１０ｍｍ〜３０ｍｍの紐を使用する。バンド１の両端は、環状にして首に着用できるように係止具７を設ける。係止具７には、公知の着脱自在の係止具を使用し、例えば、バンドの一方の端に雄係止片８が、他方の端に雄係止片８を受ける受け片９が設けられ、雄係止片８を受け片９に押し込むことにより両端を係止でき、強く引くと容易に係止を解くことができる係止具を利用する。
【００２０】
また、バンド１の途中には、係止具７との間にループを形成し、ループの大きさ変えて首回りの長さを調整する長さ調整具１０を設ける。
【００２１】
図２は本実施例１の首用健康具を取り付けた状態を示す図である。
【００２２】
図２において、バンドを首に巻き雄係止片を受け片に押し込むことにより両端を係止して着用する。長さ調整具によりループの大きさ変えて首回りの長さを調整して、治療具が首に接触するようにする。首用健康具を薬用した後は取り替えることなくそのまま使用することができる。
【実施例２】
【００２３】
図３は本考案の一方向電流素子ユニット付首用バンドの実施例２を示す斜視図である。本実施例は、携帯電話や社証１２を首から吊り下げるストラップ１１を首用バンドと併用するものである。
【００２４】
図３において、ストラップ１１を首に掛けた際に、首に当たる部分に一方向電流素子ユニット２を間隔をあけて取り付けたものである。
【００２５】
本実施例では、図４に示すように、ストラップ１１を首に掛けることにより、ストラップ１１に取り付けた一方向電流素子ユニット２が携帯電話や社章１２の重みにより首に当たることになる。
【図面の簡単な説明】
【００２６】
【図１】本考案の一方向電流素子ユニット付首用バンドの実施例１を示す斜視図である。
【図２】実施例１の首用健康具を取り付けた状態を示す図である。
【図３】本考案の首用健康具の実施例２を示す斜視図である。
【図４】実施例２の首用健康具を取り付けた状態を示す図である。
【図５】従来の一方向電流整流素子を利用した健康具の一例を示す図である。
【符号の説明】
【００２７】
１：バンド
２：一方向電流素子ユニット
３：一方向電流整流素子
４：電流捕捉プローブ
５：銅線
６：終端
７：係止具
８：雄係止片
９：受け片
１０：長さ調整具
１１：ストラップ
１２：携帯電話や社章
【図１】
0003132856.tif 000003
【図２】
0003132856.tif 000004
【図３】
0003132856.tif 000005
【図４】
0003132856.tif 000006
【図５】
0003132856.tif 000007